(57)【要約】　　　（修正有）【課題】この発明は、玄関等の出入り口を照射して、通行の安全を確保するとともに、その内部からも点灯が目視されて、ドアの開扉が確認され、閉め忘れを防止して、防犯機能を高めたドアを提供する。【解決手段】出入り用または窓戸等のドア本体１の一部にガラス部２を設け、このガラス部２と隣接する周縁に照明器具３を取り付けて、常時またはドア本体１の開扉に連動して点灯してガラス部２を照射してなる照明器具３付きの建物用ドア。【選択図】　　　図１
2004036352.tif 000002
【特許請求の範囲】
【請求項１】
出入り用ドアまたは窓戸等のドア本体の一部にガラス部を設け、このガラス部と隣接する周縁に照明器具を取り付けて、常時またはドア本体の開扉に連動して点灯してガラス部を照射してなる照明器具付きの建物用ドア。
【請求項２】
前記照明器具を、ガラス部の周縁に着脱可能に取り付けてなる請求項１記載の照明器具付きの建物用ドア。
【発明の詳細な説明】
【０００１】
【発明の属する技術分野】
この発明は、建物に設置される各種ドアであって、とくにガラス部と照明器具を組み合わせた防犯を目的とする建物用ドアに関するものである。
【０００２】
【従来の技術】
従来、居住用の建物に設置されているドアは、とくに人が出入りする玄関ドアや裏口のドアには、防犯や通行の安全性を考慮して、主としてそのドア枠の上部側の躯体部分に常夜灯が取り付けられている。
【０００３】
【発明が解決しようとする課題】
これらのドア付近に設置されている常夜灯は、主として夜間ドアから出入りするために足元を照射して通行の安全性を担保するためのもので、照明機能は有しているが、ドアとは分離して独立して取り付けられているため、別途ブザー等で告知する以外、屋内からドアの開扉を確認することができなかった。
このため、常夜灯における防犯的機能は、無断侵入者が入りずらくする程度の消極的なものに止まっていた。
【０００４】
この発明は、玄関等の出入口を照射して、足元を明るくして通行の安全性を確保する照明機能とともに、その内部からも点灯が目視されて、ドアの開扉が確認されて、ドアの無断開扉を防止するとともに、不用意の閉め忘れ等を防止して防犯機能を高めた照明器具付きの建物用ドアを提供することを目的とするものである。
【０００５】
【課題を解決するための手段】
上記課題を達成するために、本発明に係る照明器具付きの建物用ドアは、出入り用ドアまたは窓戸等のドア本体の一部にガラス部を設け、このガラス部と隣接する周縁に照明器具を取り付けて、常時またはドア本体の開扉に連動してガラス部の周辺を点灯してなることを特徴とするものである。
【０００６】
さらに、本発明に係る照明器具付きの建物用ドアは、前記照明器具をガラス部の隣接する周縁に着脱可能に取り付けてなることを特徴とするものである。
【０００７】
【発明の実施の形態】
以下、この発明に係る照明器具付きの建物用ドアに関する実施の形態につき、添付図面に基づいて説明する。
【０００８】
図１は、この発明に係る照明器具付きの建物用ドアの一例を示す正面側の略示図であり、図２は、照明器具の外観状態を示す略示図である。
【０００９】
この発明に係る照明器具付きの建物用ドアについて説明すると、図１に示すように、ドア本体１と、このドア本体１に設けられる開口部分に嵌め込み形成されるガラス部２と、このガラス部２と隣接する周縁に取り付けられる着脱可能な照明器具３とより構成されている。
【００１０】
前記ドア本体１は、通常使用されている木製およびスチール、アルミニウムまたはステンレス製等のドア枠４と各種ドア材５とからなる各種ドアが用いられるものである。
【００１１】
なお、このドア本体１は、通常用いられている玄関ドア等の引き違いまたは回転式のドアに限らず、嵌め殺しタイプのドアあるいは窓等の引き違い戸等にも適用されることができるものである（図４および図５参照）。
【００１２】
さらに、前記ドア本体１に形成されるガラス部２は、設置されるドアの使用目的や意匠性を考慮して、ドア材５の上半部またはその一部に設けられる開口部分に、また、その上下方向に細長く設けられる開口部分に嵌め込み形成されているものである。
【００１３】
このガラス部２は、通常使用されている透明または半透明のガラス板が用いられるが、一枚のガラス板に限らず、図３に示すように、その内側と外側にそれぞれガラス板を用いたダブル構造とするものであってもよい。
【００１４】
なお、このガラス部２は、主としてガラス板が用いられるが、ガラス板以外アクリル板等の透明または乳白色の合成樹脂板を用いることも可能である。
【００１５】
この合成樹脂板を用いる場合は、その劣化や破損等に対応できるようにガラス板等の併用や取替え等のメンテナンスを考慮する必要があると同時に、照明器具３の設置する部位や設置する数を考慮して、効果的な照射を行なうことが望ましい。
【００１６】
さらに、前記照明器具３は、図２に示すように、主として蛍光ランプ６と、この蛍光ランプ６を保持するケース７と、蛍光ランプ６のカバー８とから形成されたものが使用され、ドア本体１を開閉可能に支持するドア枠４から導かれた配線（図示せず）を通して通電されて、オンオフ状態として、ドア本体１を開扉することにより連動して点灯され、その閉扉状態において消灯されるものであるが、その使用状態においては、常時または所定時間点灯させることは可能である。
【００１７】
さらに、ガラス部２の隣接する周縁部に設けられる照明器具３は、ガラス部２の上下いずれかの一辺部に設置する以外、上下の二辺部に、また、ガラス部２を囲繞するようにその四辺部に設置するものでもよく、種々なる条件を考慮して適宜選択されるものである。
【００１８】
この照明器具３としては、図２に示すように、蛍光ランプ６の取替え等の作業性を容易にかつ簡便に行われるように、ケース７はピン９を介して着脱可能に取り付けられている。
【００１９】
なお、蛍光ランプ６の取替えが簡便となるように、ケース７を前倒しできるように回転可能に取り付けるものでもよく、また、図３に示すように、ドア枠４の内側に、照明器具３の対応部位に回転可能な窓部１０を設けるものであってもよい。
【００２０】
また、また嵌め殺しドア（図４参照）や引き違い戸（図５参照）のように、ガラス部の周辺に照明器具３の設置場所がない場合には、別途収納ケース１１を設置することが望ましく、配線以外バッテリー１２を設置することも可能である。
【００２１】
なお、本発明において、建物の玄関等のドアに設置され、主としてその防犯を目的としたもので説明したが、これに限らず、ガラス板２に文字やイラスト等の表示体を設け、照明器具３により照射して、とくに夜間における案内および広告機能を高めることができるものである。
【００２２】
【発明の効果】
以上説明したように、本発明に係る照明付き建物用ドアによれば、出入り用ドアまたは窓戸等のドア本体の一部にガラス部を設け、このガラス部と隣接する周縁に照明器具を取り付けて、ドア本体の開扉に連動して点灯してガラス部を照射してなることにより、夜間における出入りの際、ドア周りを明るくしてその安全性を確保する照明機能が得られるとともに、その内部からもドアの点灯が目視されて、その開扉が確認されるため、無断での開扉を防止するとともに、不用意の閉め忘れ等を防止して防犯機能を高めることができる。
【００２３】
さらに、ドア本体の隣接する周辺に設置される照明器具を、ガラス部の周縁に着脱可能に取り付けてなることにより、照明器具の交換や補修作業を円滑にかつ容易に行なうことができるものである。
【００２４】
さらに、本発明は特殊なドアを製することなく、通常使用されている構造のドアにも容易に適用され、コストを低減した効果的なドアを得ることができるものである。
【図面の簡単な説明】
【図１】本発明に係る照明器具付きの建物用ドアの一例を示す正面側の略示図である。
【図２】照明器具の外観状態を示す略示図である。
【図３】ガラス部回りの設置状態の一例を示す略示図である。
【図４】嵌め殺しタイプのドアへの設置状態を示す正面側の略示図である。
【図５】同じく引き違い戸への設置状態を示す正面側の略示図である。
【符号の説明】
１　　　　ドア本体
２　　　　ガラス部
３　　　　照明器具
４　　　　ドア枠
５　　　　ドア材
６　　　　蛍光ランプ
７　　　　ケース
８　　　　カバー
９　　　　ピン
１０　　　窓部
１１　　　収納ケース
１２　　　バッテリー
【図１】
2004036352.tif 000003
【図２】
2004036352.tif 000004
【図３】
2004036352.tif 000005
【図４】
2004036352.tif 000006
【図５】
2004036352.tif 000007